(57)【要約】【課題】接合材料の飛散を防ぐための簡素な構造を有する小型のクリーナ及びクリーナが載置される載置台を提供することを目的とする。【解決手段】本出願は加熱工具に付着した接合材料を除去する清掃部材と、前記加熱工具が挿入されるように上方に開口した挿入口と、前記挿入口から下方に拡がり前記清掃部材が収容された収容空間と、を形成している容器部と、前記清掃部材が前記挿入口から離れるように前記清掃部材を前記収容空間内で下方に押圧する押圧部と、を備えるクリーナを開示する。【選択図】図１
2020019025.tif 000002
【特許請求の範囲】
【請求項１】
加熱工具に付着した接合材料を除去する清掃部材と、
前記加熱工具が挿入されるように上方に開口した挿入口と、前記挿入口から下方に拡がり前記清掃部材が収容された収容空間と、を形成している容器部と、
前記清掃部材が前記挿入口から離れるように前記清掃部材を前記収容空間内で下方に押圧する押圧部と、を備える
クリーナ。
【請求項２】
前記容器部は、前記収容空間を形成するように上方に開口した清掃容器と、前記挿入口が形成されているとともに前記清掃容器に取り付けられた蓋部と、を含み、
前記蓋部が前記清掃容器に取り付けられると前記押圧部が前記清掃部材を前記収容空間内で下方に押圧し前記蓋部から離間させるように、前記押圧部は前記蓋部と一体化されている
請求項１に記載のクリーナ。
【請求項３】
請求項１又は２に記載のクリーナが載置されるように形成された基台と、
前記基台に載置された前記クリーナの後方で前記基台から上方に立設された主壁と、
前記加熱工具として用いられる半田ごてを支持するように形成されたこて載置部と、を備え、
前記基台に載置された前記クリーナに前記こて載置部が鉛直方向に重なることなく前記クリーナの側方の位置で前記主壁から前方に延出しているように前記こて載置部は前記主壁に取り付けられている
載置台。
【請求項４】
前記基台には側方に並んだ２つの挿入凹部が形成され、
前記クリーナは前記２つの挿入凹部のいずれか１つに選択的に挿入され、
前記こて載置部が前記２つの挿入凹部のうち一方の後方に位置している第１取付位置及び前記２つの挿入凹部のうち他方の後方に位置している第２取付位置に選択的に取り付けられるように前記主壁は形成されている
請求項３に記載の載置台。
【請求項５】
前記２つの挿入凹部の前方で前記基台から上方に立設された前壁を更に備え、
前記基台は、前記クリーナの前記挿入口が斜め上方を向くように前記クリーナを前方に傾斜した姿勢で支持している
請求項３又は４に記載の載置台。
【請求項６】
前記２つの挿入凹部の前方で前記基台から上方に立設された前壁を更に備え、
前記前壁には使用者によって握持されるように形成された前記半田ごての握持部から分離可能な前記半田ごてのカートリッジが挿入されるように切欠又は貫通孔が形成され、
前記握持部から前記カートリッジが分離されるときに前記前壁が前記切欠又は前記貫通孔に挿入された前記カートリッジを保持するように前記前壁は形成されている
請求項３又は４に記載の載置台。
【請求項７】
前記前壁は前記２つの挿入凹部から前方に離間した位置で立設されているとともに、前記２つの挿入凹部のいずれか１つに挿入された前記クリーナの前記挿入口よりも低い位置で延設された上縁面を含み、
前記基台は前記前壁から後方へ拡がる底板部を含む
請求項５又は６に記載の載置台。
【請求項８】
前記基台は、前記底板部から上方に隆起しているとともに前記２つの挿入凹部が形成された隆起部を含み、
前記前壁、前記底板部及び前記隆起部は前後方向において凹設された凹空間を形成している
請求項７に記載の載置台。
【請求項９】
前記凹空間の左で前記底板部から立設された左壁と、
前記凹空間の右で前記底板部から立設された右壁と、を更に備え、
前記凹空間は前記前壁、前記隆起部、前記左壁及び前記右壁によって周方向に囲まれている
請求項８に記載の載置台。
【請求項１０】
前記握持部から分離された前記カートリッジが載置されるように形成されたカートリッジ載置部を更に備え、
前記左壁及び前記右壁それぞれは前記カートリッジ載置部が取り付けられるように形成されている
請求項９に記載の載置台。
【発明の詳細な説明】
【技術分野】
【０００１】
本発明は、接合材料を溶融する加熱工具の清掃に用いられるクリーナ及びクリーナが載置される載置台に関する。
【背景技術】
【０００２】
加熱工具に付着した接合材料（たとえば、半田）を除去するために様々なクリーナが開発されている（特許文献１を参照）。特許文献１のクリーナは半田ごてのこて先に付着した半田を除去するために用いられる。このクリーナは容器部と、容器部内に収容された清掃部材と、を備える。容器部には半田ごてのこて先が挿入される挿入口が形成されている。容器部に挿入されたこて先に付着した半田は清掃部材に乗り移り、こて先から除去される。
【先行技術文献】
【特許文献】
【０００３】
【特許文献１】意匠登録第１１６１７２８号公報
【発明の概要】
【発明が解決しようとする課題】
【０００４】
特許文献１の清掃部材は容器部の挿入口の近傍に現れている。したがって、清掃部材に乗り移った半田が挿入口を通じて容器部の外に飛散することがある。
【０００５】
本発明は、接合材料の飛散を防ぐための構造を有するクリーナ及びクリーナが載置される載置台を提供することを目的とする。
【課題を解決するための手段】
【０００６】
本発明の一局面に係るクリーナは加熱工具に付着した接合材料を除去する清掃部材と、前記加熱工具が挿入されるように上方に開口した挿入口と、前記挿入口から下方に拡がり前記清掃部材が収容された収容空間と、を形成している容器部と、前記清掃部材が前記挿入口から離れるように前記清掃部材を前記収容空間内で下方に押圧する押圧部と、を備える。
【０００７】
上記の構成によれば、押圧部が挿入口から清掃部材が離れるように清掃部材を収容空間内で下方に押圧しているので、清掃部材は挿入口から下方に離れた位置で保持される。清掃部材によって除去された接合材料が収容空間内で清掃部材から跳ね上げられたとしても、清掃部材は挿入口から離れているので、跳ね上げられた接合材料が挿入口を通じて容器部の外に飛び散るリスクは低い。
【０００８】
上記の構成に関して、前記容器部は前記収容空間を形成するように上方に開口した清掃容器と、前記挿入口が形成されているとともに前記清掃容器に取り付けられた蓋部と、を含んでもよい。前記蓋部が前記清掃容器に取り付けられると前記押圧部が前記清掃部材を前記収容空間内で下方に押圧し前記蓋部から離間させるように、前記押圧部は前記蓋部と一体化されている。
【０００９】
上記の構成によれば、押圧部は蓋部と一体化されているので、清掃容器に取り付けられるように動かされる蓋部とともに移動する。蓋部が清掃容器に取り付けられると押圧部が清掃部材を収容空間内で下方に押圧するように蓋部及び押圧部が一体化されているので、清掃容器への蓋部の取付と同時に清掃部材が蓋部から離間した状態が作り出される。
【００１０】
本発明の他の局面に係る載置台は上述のクリーナが載置されるように形成された基台と、前記基台に載置された前記クリーナの後方で前記基台から上方に立設された主壁と、前記加熱工具として用いられる半田ごてを支持するように形成されたこて載置部と、を備える。前記基台に載置された前記クリーナに前記こて載置部が鉛直方向に重なることなく前記クリーナの側方の位置で前記主壁から前方に延出しているように前記こて載置部は前記主壁に取り付けられている。
【００１１】
上記の構成によれば、こて載置部はクリーナと鉛直方向に重ならないので、クリーナの上方には空間が形成される。クリーナを用いて半田ごてを清掃する作業者は半田ごてをクリーナの上方の空間に持って行き、その後クリーナの挿入口に挿入することができる。この結果、半田ごてがクリーナの容器部内の清掃部材に接触し、半田ごてに付着した半田が清掃部材によって除去される。クリーナ及びこて載置部はともに主壁の前方に位置しているので、清掃後の半田ごては主壁を跨ぐことなく側方に移動された後こて載置部に載置される。すなわち、主壁はこて載置部へ向かう半田ごての移動を妨げない。
【００１２】
上記の構成に関して、前記基台には側方に並んだ２つの挿入凹部が形成されてもよい。前記クリーナは前記２つの挿入凹部のいずれか１つに選択的に挿入されてもよい。前記こて載置部が前記２つの挿入凹部のうち一方の後方に位置している第１取付位置及び前記２つの挿入凹部のうち他方の後方に位置している第２取付位置に選択的に取り付けられるように前記主壁は形成されていてもよい。
【００１３】
上記の構成によれば、第２取付位置でこて載置部が主壁に取り付けられているとき、容器部は２つの挿入凹部のうち一方に配置される。第１取付位置でこて載置部が主壁に取り付けられているとき、容器部は２つの挿入凹部のうち他方に配置される。容器部及びこて載置部の位置は左右に変更可能であるので、載置台はクリーナ及びこて載置部に関して、右利きの使用者及び左利きの使用者のいずれにとっても好適なレイアウトを採ることができる。
【００１４】
上記の構成に関して、載置台は前記２つの挿入凹部の前方で前記基台から上方に立設された前壁を更に備えてもよい。前記基台は、前記クリーナの前記挿入口が斜め上方を向くように前記クリーナを前方に傾斜した姿勢で支持していてもよい。
【００１５】
上記の構成によれば、基台がクリーナの挿入口が斜め上方を向くようにクリーナを前方に傾斜した姿勢で支持しているので、挿入口を通じて飛び出した半田は前方に向かいやすい。前方に飛び出した半田はクリーナが載置された２つの挿入凹部の前方で基台から上方に立設された前壁に衝突するので、前方に飛び散らない。
【００１６】
上記の構成に関して、載置台は前記２つの挿入凹部の前方で前記基台から上方に立設された前壁を更に備えてもよい。前記前壁には使用者によって握持されるように形成された前記半田ごての握持部から分離可能な前記半田ごてのカートリッジが挿入されるように切欠又は貫通孔が形成されていてもよい。前記握持部から前記カートリッジが分離されるときに前記前壁が前記切欠又は前記貫通孔に挿入された前記カートリッジを保持するように前記前壁は形成されていてもよい。
【００１７】
上記の構成によれば、使用者はカートリッジを前壁の切欠又は貫通孔に挿入し、前壁にカートリッジを保持させることができる。使用者はその後握持部に対して所定の操作を行い握持部をカートリッジから分離することができる。握持部にその後新たなカートリッジが取り付けられると半田ごてのカートリッジが交換される。したがって、カートリッジの交換に前壁が利用される。
【００１８】
上記の構成に関して、前記前壁は前記２つの挿入凹部から前方に離間した位置で立設されているとともに、前記２つの挿入凹部のいずれか１つに挿入された前記クリーナの前記挿入口よりも低い位置で延設された上縁面を含んでもよい。前記基台は前記前壁から後方へ拡がる底板部を含んでもよい。
【００１９】
上記の構成によれば、２つの挿入凹部のいずれか１つに挿入されたクリーナは前壁の後方に位置しているので半田ごてを清掃する使用者は前壁を越えて後方に腕を伸ばす。前壁の上縁面は２つの挿入凹部のいずれか１つに挿入されたクリーナの挿入口よりも低い位置で延設されているので、前壁は半田ごてを清掃する使用者の腕に干渉しにくい。したがって、使用者は前壁に邪魔されることなく半田ごてを清掃することができる。
【００２０】
前壁は２つの挿入凹部から前方に離間した位置で立設されているので、クリーナから前方に飛び出した半田が前壁に到達するときには半田は重力作用の下で十分に下降している。したがって、前壁の上縁面が２つの挿入凹部のいずれか１つに挿入されたクリーナの挿入口よりも低い位置で延設されていても、前壁は前方に飛び出した半田を受け止めることができる。前壁によって受け止められた半田は、前壁から後方に拡がる底板部に落下する。
【００２１】
上記の構成に関して前記基台は、前記底板部から上方に隆起しているとともに前記２つの挿入凹部が形成された隆起部を含んでもよい。前記前壁、前記底板部及び前記隆起部は前後方向において凹設された凹空間を形成していてもよい。
【００２２】
上記の構成によれば、クリーナから前方に飛び出した半田は前壁に衝突し、後方に跳ね返される。２つの挿入凹部が形成された隆起部は底板部から上方に隆起しているので、後方に跳ね返された半田は隆起部によって受け止められ底板部に落下する。したがって、半田は凹空間に留まることができる。
【００２３】
上記の構成に関して、載置台は前記凹空間の左で前記底板部から立設された左壁と、前記凹空間の右で前記底板部から立設された右壁と、を更に備えてもよい。前記凹空間は前記前壁、前記隆起部、前記左壁及び前記右壁によって周方向に囲まれていてもよい。
【００２４】
上記の構成によれば、凹空間は前壁、隆起部、左壁及び右壁によって周方向に囲まれているので、クリーナから飛散した半田は凹空間に留まることができる。
【００２５】
上記の構成に関して、載置台は前記握持部から分離された前記カートリッジが載置されるように形成されたカートリッジ載置部を更に備えてもよい。前記左壁及び前記右壁それぞれは前記カートリッジ載置部が取り付けられるように形成されていてもよい。
【００２６】
上記の構成によれば、左壁及び右壁それぞれがカートリッジ載置部が取り付けられるように形成されているので、カートリッジ載置部は左壁及び右壁のいずれにも取り付けられる。すなわちカートリッジ載置部に関して、載置台は右利きの使用者及び左利きの使用者のいずれにとっても好適なレイアウトを採ることができる。したがって、使用者は前壁の切欠又は貫通孔に挿入されたまま握持部から分離されたカートリッジを切欠又は貫通孔から取り出し、カートリッジ載置部に容易に載置することができる。
【発明の効果】
【００２７】
上述の技術は、接合材料の飛散を防ぐための構造を有するクリーナ及びクリーナが載置される載置台を提供することができる。
【図面の簡単な説明】
【００２８】
【図１】クリーナの概略的な斜視図及び断面図である。
【図２】クリーナが載置された載置台の概略的な斜視図である。
【図３】クリーナが載置された載置台の概略的な断面図である。
【図４】載置台の概略的な背面図である。
【図５】載置台の概略的な斜視図である。
【発明を実施するための形態】
【００２９】
＜クリーナ＞
図１はクリーナ１００の概略的な斜視図（セクション（ａ））及び断面図（セクション（ｂ））である。図１を参照して、クリーナ１００が説明される。
【００３０】
クリーナ１００は半田を半田ごて（図示せず）のこて先（図示せず）から除去するように形成されている。クリーナ１００は、上方に開口した清掃容器１１０と、清掃容器１１０の開口部を部分的に塞ぐように清掃容器１１０に取り付けられた蓋部１２０と、蓋部１２０と一体的に形成された押圧部１３０と、清掃容器１１０内に配置された清掃部材１４０と、を備える。清掃容器１１０及び蓋部１２０は清掃部材１４０が収容された収容空間を形成する容器部である。
【００３１】
清掃容器１１０は略円形の底壁１１１と、底壁１１１の外周縁から上方に立設された略円筒状の周壁１１２と、を含む。周壁１１２及び底壁１１１は清掃部材１４０が配置された収容空間を形成している。収容空間は上方に開口している。
【００３２】
上方に開口した収容空間を部分的に閉じるように蓋部１２０が形成されている。蓋部１２０は清掃容器１１０の周壁１１２の外径と略等しい外径を有する円板部１２１と、円板部１２１の下面から下方に突出した円筒壁１２２と、を含む。円板部１２１の中心を略円形の挿入口１２３が貫通している。挿入口１２３の下方に清掃容器１１０によって形成された収容空間が拡がっている。挿入口１２３に半田ごてのこて先が挿入されるように挿入口１２３の直径は定められている。挿入口１２３が形成された円板部１２１の下面が清掃容器１１０の周壁１１２の上縁に当接するように円板部１２１は清掃容器１１０上に配置されている。このとき、円板部１２１から下方に突出した円筒壁１２２は収容空間に嵌入されている。円筒壁１２２の外径は清掃容器１１０の周壁１１２の内径に略等しい。円筒壁１２２が収容空間に嵌入されているので蓋部１２０は清掃容器１１０に固定される。
【００３３】
蓋部１２０に形成された挿入口１２３を通じて挿入されたこて先に付着した半田を除去するように清掃部材１４０が形成されている。清掃部材１４０として金属繊維が絡み合った金属ウールが本実施形態において利用されている。清掃部材１４０は蓋部１２０が容器から分離されたときに収容空間の大部分を占めるように膨張してもよい。
【００３４】
清掃部材１４０の膨張を抑えるように押圧部１３０が蓋部１２０と一体的に形成されている。押圧部１３０は蓋部１２０の下面から下方に突出した複数のリブ１３１を含む。これらのリブ１３１は蓋部１２０の内周縁（すなわち、挿入口１２３の外縁）から清掃容器１１０の周壁１１２に向けて放射状に延設されている。リブ１３１は周方向に略等間隔に配置されている。
【００３５】
蓋部１２０が清掃容器１１０に取り付けられると、蓋部１２０から突出したリブ１３１は収容空間内の清掃部材１４０を下方に押圧する。リブ１３１は周方向に略等間隔に配置されているので、清掃部材１４０を全体的に下方に圧縮することができる。この結果、清掃部材１４０は清掃容器１１０の底壁１１１に全体的に押し付けられる。このとき、清掃部材１４０はリブ１３１の下方突出量分だけ蓋部１２０の円板部１２１及び円板部１２１の挿入口１２３から離間している。リブ１３１の下方突出量は収容容器内で跳ね上げられた半田粒が挿入口１２３に到達しないように設定されている。
【００３６】
挿入口１２３を通じてこて先が挿入されると、清掃部材１４０はこて先に接触する。この結果、こて先に付着している半田は清掃部材１４０に乗り移る。清掃部材１４０が半田をこて先から除去した後、こて先は挿入口１２３を通じて引き上げられる。こて先の清掃の間こて先が清掃部材１４０に繰り返し接触するようにこて先を上下に往復移動させることが一般的に行われる。
【００３７】
こて先の清掃の結果、こて先から半田が分離される。分離された半田の多くは清掃部材１４０に付着するけれども、一部の半田は清掃部材１４０に付着せず、清掃部材１４０が収容された収容空間内で自由に動く半田粒を形成することがある。半田粒が収容空間内でどのように跳ね上げられるかが以下に説明される。
【００３８】
収容空間内で半田がこて先から清掃部材１４０に乗り移るとき、清掃部材１４０は半田によってこて先に一時的に接着される。このときこて先が引き上げられると、清掃部材１４０の一部（すなわちこて先に接着された部位）は上方に変形する。清掃部材１４０の上方への変形によって変形領域にある上述の半田粒が上方に跳ね上げられることがある。上方に跳ね上げられた半田粒が挿入口１２３に到達しないように挿入口１２３と清掃部材１４０との間の距離が突出部１３０によって定められているので、半田粒の多くは収容空間内に留まる。
【００３９】
押圧部１３０は上述の如く、蓋部１２０と一体的に形成されている。蓋部１２０の円筒壁１２２が清掃容器１１０に嵌入されるのと同時に押圧部１３０が清掃部材１４０を下方に押圧する。この結果、蓋部１２０が清掃容器１１０に取り付けられるのと同時に清掃部材１４０は蓋部１２０から下方に離間した位置で保持される。
【００４０】
収容空間で清掃される加熱工具として半田ごてが例示されている。しかしながら、加熱工具は接合材料を溶融する他の装置（たとえば、ツイーザ）であってもよい。
【００４１】
接合材料として半田が例示されている。しかしながら、加熱工具からの熱を受けて溶融され、その後固化することによって複数の部品を接合することができる他の物質が接合材料として用いられてもよい。
【００４２】
接合材料を除去する清掃部材１４０として金属ウールが例示されている。しかしながら、接合材料を加熱工具から除去することができるように形成された他の部材が清掃部材１４０として用いられてもよい。
【００４３】
清掃部材１４０が収容された清掃容器１１０は円筒状である。しかしながら、清掃容器は角筒状であってもよいし、清掃部材が閉じ込められる収容空間を形成する他の形状であってもよい。したがって、清掃容器１１０の形状は限定的に解釈されるべきではない。清掃容器と相補的な形状を有するように蓋部が形成される。したがって、清掃容器１１０と同様に蓋部１２０の形状も限定的に解釈されるべきではない。
【００４４】
蓋部１２０の挿入口１２３は蓋部１２０の中心に形成された貫通孔である。しかしながら、挿入口は蓋部の外周縁から蓋部の中心に向けて凹設された切欠であってもよい。
【００４５】
蓋部１２０と一体的に押圧部１３０が形成されている。しかしながら、押圧部は蓋部から分離可能に形成されてもよい。たとえば、押圧部は蓋部の下面に取り付けられたコイルスプリングであってもよい。
【００４６】
蓋部に代えて、押圧部は容器に取り付けられてもよいし、容器と一体的に形成されてもよい。たとえば、押圧部は容器の内周面から内方に突出した環状部材であってもよい。この場合、環状部材と容器の底壁との間の空間に清掃部材が収められるように環状部材は清掃部材を下方に押圧する。
【００４７】
＜載置台＞
クリーナ１００が載置された載置台２００が図２及び図３に示されている。図２は載置台２００の概略的な斜視図である。図３は載置台２００の概略的な断面図である。図２及び図３を参照して以下に説明される。載置台２００の説明に、「前」、「後」、「左」及び「右」といった方向を表す用語が用いられる。これらの用語は使用者を基準にしている。「前」との用語は載置台２００に対座する使用者に近い側を表している。
【００４８】
載置台２００はクリーナ１００が載置された基台２１０を備える。基台２１０は平面視において略矩形状である。基台２１０はクリーナ１００が載置されるように形成された隆起部２１１と、隆起部２１１から前方に拡がる底板部２１２と、を含む。底板部２１２は略水平な上面を形成している。底板部２１２の後端縁から上方に隆起するように隆起部２１１が形成されている。隆起部２１１は底板部２１２の上面よりも後方且つ高い位置で形成された上面を有している。
【００４９】
隆起部２１１には隆起部２１１の上面から下方に凹設された２つの挿入凹部２１３が形成されている。これらの挿入凹部２１３は左右に並んでいる。これらの挿入凹部２１３それぞれはクリーナ１００の清掃容器１１０の下部と相補的である。左側の挿入凹部２１３に収められた清掃容器１１０が図２に示されているけれども、清掃容器１１０は右側の挿入凹部２１３に収容されてもよい。挿入凹部２１３内の清掃容器１１０が若干前方に傾斜するように隆起部２１１は形成されている。清掃容器１１０の下部は挿入凹部２１３に収容されているけれども清掃容器１１０の上部は挿入凹部２１３から上方にはみ出している。
【００５０】
清掃容器１１０は上述の半田粒の多くを収容空間内に留めるけれども半田粒の一部が清掃容器１１０の挿入口１２３を通じて清掃容器１１０の外に偶発的に飛び出すこともある。清掃容器１１０が若干前方に傾斜するように隆起部２１１上で支持されているので、清掃容器１１０の外に偶発的に飛び出した半田粒は前方に向かう。前方に飛び出した半田粒を受け止め前方への半田粒の飛散を防ぐために、底板部２１２の前端縁から上方に立設された前壁２２０が載置台１００の一部を形成している。前壁２２０は隆起部２１１からの底板部２１２の前方突出量の分だけ隆起部２１１から前方に離間している。
【００５１】
前壁２２０は隆起部２１１から前方に離間しているので、隆起部２１１に載置されたクリーナ１００から前方に飛び出した半田粒が前壁２２０に到達するときには半田粒は重力作用の下で大きく下降している。したがって、前壁２２０は過度に高くなくてもよい。前壁２２０の上縁面はクリーナ１００の挿入口１２３よりも下方の位置で左右に延設されている。
【００５２】
前壁２２０には前壁２２０の上縁面から下方に凹設された切欠２２１が形成されている。切欠２２１は隆起部２１１の２つの挿入凹部２１３の間で前後方向に拡がる仮想的な鉛直平面上に位置している。切欠２２１は使用者に握持されるように形成された握持部（図示せず）と、握持部に部分的に挿入される棒状のカートリッジ（図示せず）と、を有するカートリッジ式の半田ごての分解に利用される。半田ごての分解作業を行う使用者は握持部を持ち、カートリッジを切欠２２１に嵌め込む。使用者が握持部を前方に引いたときにカートリッジが切欠２２１から抜け出ないように前壁２２０が形成されている。
【００５３】
前壁２２０が基台２１０の前縁（すなわち底板部２１２の前縁）から上方に立設されている一方で、基台２１０の残りの縁部（すなわち、左縁、右縁及び後縁）からは周壁部材２３０が上方に立設されている。周壁部材２３０は平面視において前方に開口したＣ形を形成している。周壁部材２３０は左方、右方及び後方への半田粒の飛散を防止する部位として載置台２００の一部を形成している。周壁部材２３０が図２乃至図４を参照して以下に説明される。図４は載置台２００の概略的な背面図である。
【００５４】
周壁部材２３０は、クリーナ１００の後方の基台２１０の後縁から上方に立設された主壁２３１と、主壁２３１から屈曲され基台２１０の左縁に沿うように配置された左壁２３２と、主壁２３１から屈曲され基台２１０の右縁に沿うように配置された右壁２３３と、を含む。主壁２３１は略矩形状の板状部位であるのに対して左壁２３２及び右壁２３３は略五角形状の板状部位である。左壁２３２及び右壁２３３の後半分及び主壁２３１の上縁は隆起部２１１に載置されたクリーナ１００の蓋部１２０よりも上方に位置している。左壁２３２及び右壁２３３の前半分の上縁は前方に向けて前壁２２０の上縁面の高さ位置に向けて下方に傾斜している。
【００５５】
主壁２３１の下部には左右方向において略中心に位置する貫通孔が形成され、主壁２３１の貫通孔に挿通されたネジを用いて主壁２３１が基台２１０の後縁に固定されている（図４を参照）。主壁２３１から屈曲された左壁２３２の前端近くにも貫通孔が形成され、左壁２３２の貫通孔に挿通されたネジを用いて左壁２３２が前壁２２０の左縁面に固定されている（図２を参照）。左壁２３２とは反対側の右壁２３３の前端近くにも貫通孔が形成されている（図示せず）。右壁２３３は右壁２３３の貫通孔に挿通されたネジを用いて前壁２２０の右縁面に固定されている。右壁２３３、左壁２３２、前壁２２０及び隆起部２１１の前面によって囲まれた凹空間が底板部２１２の上方に形成されている。
【００５６】
右壁２３３及び左壁２３２それぞれには２つのネジ穴２３４，２３５が形成されている（図２には左壁２３２のネジ穴２３４，２３５のみが示されている）。ネジ穴２３４，２３５は鉛直方向に並びネジ穴列２３６を形成している。
【００５７】
２つのネジ穴２３４，２３５が右壁２３３及び左壁２３２それぞれに形成されているのに対して、主壁２３１には４つのネジ穴２４１〜２４４が形成されている。ネジ穴２４１，２４２は左側の挿入凹部２１３の後方で鉛直方向に並びネジ穴列２４５を形成している。残りのネジ穴２４３，２４４は右側の挿入凹部２１３の後方で鉛直方向に並びネジ穴列２４６を形成している。
【００５８】
これらのネジ穴列２４５，２４６は半田ごてを支持するこて載置部２５０の固定に利用される。こて載置部２５０は半田ごてが載置される部位として載置台２００の一部を形成している（図２を参照）。図２に示されるこて載置部２５０は右側のネジ穴列２４５を用いて主壁２３１に固定されているけれども、左側のネジ穴列２４６がこて載置部２５０の固定に利用されてもよい。こて載置部２５０が右側のネジ穴列２４５を用いて主壁２３１に固定されている一方で、クリーナ１００は左側の挿入凹部２１３に配置されているので、こて載置部２５０及びクリーナ１００は鉛直方向に重ならない。こて載置部２５０が左側のネジ穴列２４６を用いて主壁２３１に取り付けられているときはクリーナ１００は右側の挿入凹部２１３に配置される。
【００５９】
こて載置部２５０は主壁２３１の前面に取り付けられているとともに主壁２３１から前方に湾曲したアーム部材２５１と、アーム部材２５１の前端に取り付けられたＣ型リング２５２と、を含む。Ｃ型リング２５２は半田ごての握持部を保持するように形成されている。Ｃ型リング２５２の中心軸はＣ型リング２５２の下方の隆起部２１１の挿入凹部２１３に向いている。
【００６０】
Ｃ型リング２５２が取り付けられたアーム部材２５１は主壁２３１の前面に沿ってＵ字状に湾曲したＵ字アーム部２５３と、Ｕ字アーム部２５３の２つの上端から前方に湾曲した２つの前方アーム部２５４と、を含む。アーム部材２５１はＣ型リング２５２に取り付けられた半田ごてを支持するのに十分な剛性を有する線状部材によって形成されている。
【００６１】
アーム部材２５１の２つの前方アーム部２５４の先端部位はＣ型リング２５２を左右に挟み、ネジを用いてＣ型リング２５２の外周面に固定されている。これらの前方アーム部２５４が延出するＵ字アーム部２５３は主壁２３１の２つのネジ穴列２４５，２４６のいずれか一方に合わせて配置され、ネジを用いて主壁２３１に固定される。ネジ穴列２４６を用いて固定されたＵ字アーム部２５３が図２に示されている。
【００６２】
図２及び図４には、握持部から分離されたカートリッジを支持するように形成されたカートリッジ載置部２６０が右壁２３３の右側において部分的に示されている。カートリッジ載置部２６０は握持部から分離されたカートリッジが載置される部位として載置台２００の一部を形成している。カートリッジ載置部２６０が図２乃至図５を参照して説明される。図５は載置台２００の概略的な斜視図である。
【００６３】
図５に示されるようにカートリッジ載置部２６０は、右壁２３３の右面に取り付けられている。カートリッジ載置部２６０は、前後方向に延設されたＣ型柱２６１と、Ｃ型柱２６１から上方に突出した上フラップ２６２と、Ｃ型柱２６１から下方に突出した下フラップ２６３と、を含む。下フラップ２６３は下方に向いた頂部を有する略三角形状の板状部位である。上フラップ２６２は上方に向いた頂部を有する略三角形状の板状部位である。上フラップ２６２及び下フラップ２６３には貫通孔（図示せず）が形成されている。上フラップ２６２及び下フラップ２６３は右壁２３３の右面に押し当てられ、２つのネジが上フラップ２６２及び下フラップ２６３の貫通孔に挿通されている。これらのネジが右壁２３３に形成されたネジ穴列２３６に螺合される結果、上フラップ２６２及び下フラップ２６３が右壁２３３の右面に固定されている。
【００６４】
上フラップ２６２の下縁から右方に屈曲した上板２６４と、下フラップ２６３の上縁から右方に屈曲した下板２６５と、上板２６４及び下板２６５の右縁を繋ぐ鉛直板２６６と、によってＣ型柱２６１が形成されている。上板２６４には３つの貫通孔２６７が形成されている。これらの貫通孔２６７は前後方向に並んでいる。これらの貫通孔２６７の大きさは握持部から分離されたカートリッジが挿入されるように定められている。
【００６５】
これらの貫通孔２６７の直下において下板２６５には３つの凹部２６８がそれぞれ形成されている。これらの凹部２６８は貫通孔２６７に挿通されたカートリッジの先端（すなわち、こて先の先端）が没入されるように形成されている。
【００６６】
こて先が下向きになるようにカートリッジが３つの貫通孔２６７のうちいずれか１つに挿通されると、Ｃ型柱２６１はカートリッジの姿勢が略鉛直になるようにカートリッジを支持する。カートリッジ載置部２６０上で略鉛直に立てられたカートリッジを使用者が取り出し握持部に装着すると、半田ごての組立が完了する。使用者は組み立てられた半田ごてを用いて所定の半田付け作業を実行する。半田付け作業の結果、こて先に半田が付着する。こて先に付着した半田を除去するために半田ごてのこて先はクリーナ１００の蓋部１２０に形成された挿入口１２３に挿入される。このとき半田ごてのこて先は半田付けが行われる作業領域から前壁２２０を越えてクリーナ１００の挿入口１２３へ移動される。前壁２２０の上縁面はクリーナ１００の蓋部１２０より下方にあり前壁２２０は過度に高くないので、半田付け作業が行われる作業領域からクリーナ１００の上部空間への半田ごての移動が円滑に行われる。加えて、前壁２２０は清掃作業を行う作業者の手や腕に接触しにくいので、清掃作業も円滑に行われる。
【００６７】
清掃作業に関して、半田ごてのこて先は挿入口１２３に挿入されクリーナ１００の清掃容器１１０内に収容された清掃部材１４０（図３を参照）に接触する。この結果、こて先に付着した半田は清掃部材１４０に乗り移り、こて先からの半田の除去がなされる。半田の除去後のこて先は挿入口１２３を通じてクリーナ１００から引き出される。
【００６８】
挿入口１２３から清掃部材１４０が下方に十分に離間するように押圧部１３０は清掃部材１４０を下方に押し付けているので、収容空間内の半田粒が挿入口１２３を通じて清掃容器１１０の外に飛散するリスクは低い。しかしながら、半田粒の一部が挿入口１２３を通じて清掃容器１１０の外に飛び出すこともある。清掃容器１１０が載置された隆起部２１１はクリーナ１００が若干前方に傾斜した姿勢をとるようにクリーナ１００を保持しているので、クリーナ１００の挿入口１２３の中心軸は鉛直ではなく鉛直姿勢から若干前方に傾斜している。挿入口１２３の傾斜の結果、半田粒の飛び出し方向は前方に設定される。前方に飛び出した半田粒は隆起部２１１の前方に位置する底板部２１２上に落下する。あるいは、前方に飛び出した半田粒は前壁２２０の後面に衝突した後、底板部２１２上に落下する。前方に飛び出した半田粒は結果的に前壁２２０、底板部２１２、隆起部２１１、左壁２３２及び右壁２３３の前半分によって囲まれた凹空間に収められる。
【００６９】
半田粒が偶発的に左方、右方又は後方に飛び出したとしてもクリーナ１００を取り囲む周壁部材２３０の壁部（すなわち、左壁２３２及び右壁２３３の後半分並びに主壁２３１）は隆起部２１１上のクリーナ１００の蓋部１２０よりも高い位置まで立設されているので、半田粒は周壁部材２３０に衝突する。したがって、半田粒は周壁部材２３０及び前壁２２０によって囲まれた領域に留められる。すなわち、半田粒を載置台２００の周囲に飛散させることなくこて先の清掃が行われる。
【００７０】
こて先の清掃の完了の後、半田ごてはこて載置部２５０上に載置されてもよい。このとき、半田ごての握持部がこて載置部２５０のＣ型リング２５２に嵌め込まれる。半田ごてのカートリッジはＣ型リング２５２に嵌め込まれた握持部から下方に延出する。Ｃ型リング２５２の中心軸はＣ型リング２５２の下方において隆起部２１１の上面に形成された挿入凹部２１３に向いているので、Ｃ型リング２５２の中心軸の延設方向において握持部と基台２１０との間の距離は長くなる。Ｃ型リング２５２に嵌め込まれた握持部からカートリッジが下方に突出するけれども、握持部と基台２１０との間の距離が長いので、カートリッジの先端のこて先は隆起部２１１と干渉しにくい。したがって、カートリッジが握持部から大きく突出していても、載置台２００はこて先と干渉することなく半田ごてを保持することができる。
【００７１】
半田ごてを保持するように形成されたこて載置部２５０及びクリーナ１００が載置されるように形成された挿入凹部２１３はともに主壁２３１の前方に位置しているので、清掃後の半田ごては主壁２３１を跨ぐことなくクリーナ１００からこて載置部２５０へ移動される。
【００７２】
半田ごてをこて載置部２５０に載置する代わりに、使用者は半田ごてのカートリッジを他のカートリッジと交換してもよい。この場合、使用者はカートリッジを前壁２２０の切欠２２１に嵌め込む。カートリッジの外周面に外方に局所的に膨出した膨出部が形成されているならば、膨出部が前壁２２０の後面に引っ掛かるように使用者はカートリッジを切欠２２１に嵌め込んでもよい。カートリッジを切欠２２１に嵌め込んだ後使用者が半田ごての握持部を前方に引くと、握持部はカートリッジから分離される。一方、カートリッジは前壁２２０によって保持された状態を維持する。カートリッジから分離された握持部に使用者は新たなカートリッジを取り付け、カートリッジの交換が完了する。使用後のカートリッジが十分に冷却された後、使用者は切欠２２１から使用後のカートリッジを取り外し、カートリッジ載置部２６０の３つの貫通孔２６７のいずれかに挿入することができる。この結果、使用後のカートリッジは直立姿勢でカートリッジ載置部２６０上で保持される。
【００７３】
カートリッジの交換やこて先の清掃を、図２乃至図５に示されるレイアウトの下では実行しにくいと使用者が感じることもある。この場合、使用者はレイアウトを変更することができる。
【００７４】
レイアウトの変更に関して、使用者はこて載置部２５０及びカートリッジ載置部２６０を周壁部材２３０から取り外す。使用者はその後、クリーナ１００を右側の挿入凹部２１３に嵌め込む。使用者は主壁２３１に形成された左側のネジ穴列２４５を用いてこて載置部２５０を主壁２３１に取り付け、左壁２３２に形成されたネジ穴列２３６を用いてカートリッジ載置部２６０を左壁２３２の左面に取り付ける。この結果、図２乃至図５に示されるレイアウトとは左右対称の位置にクリーナ１００、こて載置部２５０及びカートリッジ載置部２６０が配置される。
【００７５】
クリーナ１００は載置台２００に載置され、半田ごての清掃に利用される。しかしながら、クリーナ１００は載置台２００に載置されることなく半田ごてに清掃に利用されてもよい。
【００７６】
クリーナ１００が載置される隆起部２１１には２つの挿入凹部２１３が形成されている。しかしながら、挿入凹部は１つであってもよいし、２を超える数であってもよい。
【００７７】
挿入凹部２１３の後方で立設された主壁２３１には２つのネジ穴列２４５，２４６が形成されている。しかしながら、主壁には１つのネジ穴列が形成されてもよいし、２を超えるネジ穴列が形成されてもよい。
【００７８】
主壁２３１の前方で立設された前壁２２０は基台２１０と一体的に形成されている。しかしながら、前壁は基台から分離可能であってもよい。
【００７９】
前壁２２０には半田ごての握持部からのカートリッジの分離に利用される切欠２２１が形成されている。しかしながら、切欠に代えて前壁にはカートリッジが嵌入されるように形成された貫通孔が形成されてもよいし、カートリッジをしっかりと掴むことができる他の構造が形成されてもよい。
【００８０】
カートリッジ式ではない半田ごて（すなわち、握持部からこて先までの部位が一体的な構造を有する半田ごて）が専ら用いられるならば、前壁に切欠が形成されなくてもよいし、主壁にカートリッジ載置部が取り付けられなくてもよい。
【００８１】
カートリッジ載置部２６０はネジ穴列２３６を用いて右壁２３３に固定されている。しかしながら、カートリッジ載置部は他の固定技術によって右壁又は左壁に固定されてもよい。たとえば、カートリッジ載置部に形成されたフック部を右壁又は左壁に形成された貫通孔に係合させることによってカートリッジ載置部が主壁に固定されてもよい。
【００８２】
カートリッジ載置部２６０に加えて、こて載置部２５０がネジ穴列２４５，２４６を用いて主壁２３１に固定されている。しかしながら、こて載置部は他の固定技術によって主壁に固定されてもよい。たとえば、こて載置部に形成されたフック部を主壁に形成された貫通孔に係合させることによってこて載置部が主壁に固定されてもよい。
【産業上の利用可能性】
【００８３】
上述の実施形態の原理は、複数の部品を接合する接合材料が用いられる様々な技術分野に好適に利用される。
【符号の説明】
【００８４】
１００・・・・・・・・・・・・・・・・・・・・・・・・・クリーナ
１１０・・・・・・・・・・・・・・・・・・・・・・・・・清掃容器
１２０・・・・・・・・・・・・・・・・・・・・・・・・・蓋部
１２３・・・・・・・・・・・・・・・・・・・・・・・・・挿入口
１３０・・・・・・・・・・・・・・・・・・・・・・・・・押圧部
１４０・・・・・・・・・・・・・・・・・・・・・・・・・清掃部材
２００・・・・・・・・・・・・・・・・・・・・・・・・・載置台
２１０・・・・・・・・・・・・・・・・・・・・・・・・・基台
２１１・・・・・・・・・・・・・・・・・・・・・・・・・隆起部
２１２・・・・・・・・・・・・・・・・・・・・・・・・・底板部
２１３・・・・・・・・・・・・・・・・・・・・・・・・・挿入凹部
２２０・・・・・・・・・・・・・・・・・・・・・・・・・前壁
２２１・・・・・・・・・・・・・・・・・・・・・・・・・切欠
２３１・・・・・・・・・・・・・・・・・・・・・・・・・主壁
２３２・・・・・・・・・・・・・・・・・・・・・・・・・左壁
２３３・・・・・・・・・・・・・・・・・・・・・・・・・右壁
２５０・・・・・・・・・・・・・・・・・・・・・・・・・こて載置部
２６０・・・・・・・・・・・・・・・・・・・・・・・・・カートリッジ載置部
【図１】
2020019025.tif 000003
【図２】
2020019025.tif 000004
【図３】
2020019025.tif 000005
【図４】
2020019025.tif 000006
【図５】
2020019025.tif 000007